(57)【要約】  【課題】商品の輸送や保護の確実性を図るとともに高級感や重厚感を与える事を目的とし、箱本体や蓋体の側壁が内側壁と外側壁との二重構造されたものがある。しかしこれらは構造が複雑で、組み立てを簡単にしようとすれば接着工程が必要になり、これまで接着工程なしで簡単に組み立てられるものはなかった。  【解決手段】箱内側に折り込まれた内側壁（１４）（１５）のはね返り力を、後から折り込む内側壁（１６）（１７）の両端に設けられた内側壁サイド片（３０）（３１）（３２）（３３）により押さえ込むと同時に、後から折り込んだ内側壁（１６）（１７）のはね返り力も内側壁サイド片と内側壁（１４）（１５）とで発生する摩擦力で止め、箱の起立状態を保持する。    【選択図】  図３
2006137447.tif 000002
【特許請求の範囲】
【請求項１】
底板（１）又は天板（１）に連結された全ての側壁（６）（７）（８）（９）を折立ててトレー状の容器又は蓋を形成すると共に、各側壁（６）（７）（８）（９）は二重構造とした紙箱において、一組の相対する側壁（８）（９）とその内側壁（１６）（１７）の間に隣接の側壁（６）（７）を連結している略三角形の折り込み片（２２）（２３）（２４）（２５）（２６）（２７）（２８）（２９）を折り筋（３８）（３９）（４０）（４１）から山状に折り込み、その時、内側壁（１６）（１７）の両サイドに連結している内側壁サイド片（３０）（３１）（３２）（３３）が内側壁（１４）（１５）を側壁（６）（７）に押しつけ、各側壁（６）（７）（８）（９）の直立状態を保つ事を特徴とする紙箱。
【請求項２】
請求項１に於いて、内側壁（１６）（１７）の先端に接続したフラップ（３４）（３５）の先端辺（３４a）（３５a）を内側壁（１６）（１７）の辺（５０）（５１）又は（１２）（１３）より若干長くして発生する突起（５４）（５５）（５６）（５７）が箱の直立状態が達成したと同時に内側壁（１４）（１５）の切り欠き（５８）（５９）（６０）（６１）にり発生する切り欠き断面（６２）（６３）（６４）（６５）に係合し、箱の直立状態をロックする事を特徴とする紙箱。
【発明の詳細な説明】
【技術分野】
【０００１】
本発明は、例えば菓子類などを収容する化粧箱などの安価で組み立てが簡単かつ丈夫な紙箱で、特に二重壁箱に関する。
【背景技術】
【０００２】
従来、底板又は天板に連結された全ての側壁を折り立ててトレー状の容器又は蓋を形成する技術があった。この種の箱には、輸送時や商品の保護の確実性を図るとともに高級感や重厚感を与えることを目的とし、箱本体や蓋体の側壁が内側壁と外側壁とにより二重構造に構成されたものがある。
【０００３】
しかし、この種の側壁二重構造箱では、内側壁をどう箱内で固定するかという問題をクリアーしなければならない。側壁を二重構造にした時の内側壁を箱内側に於いて固定する方法は基本的に次の２つである。一つは一組の相対する内側壁を該内側壁が繋がっている側壁と接着固定し、この接着固定された内側壁にもう一組の相対する内側壁を何らかの手段で係合する方法、もう一つは一組の相対する内側壁の両端にフラップを設け、このフラップをもう一組の相対する内側壁と該内側壁が繋がる側壁との間に挟みフラップを両端に持つ内側壁を固定し、フラップを挟み込んだ内側壁を、既に固定されている内側壁に何らかの手段で係合するという大きく二つの方法がある。
【０００４】
前者は側壁とそれに繋がる内側壁との接着工程が必要であり、後者は先に固定が必要な一組の相対する内側壁の左右両端にフラップを設け、もう一組の内側壁で挟み込まねばならないという複雑な組み立て方になるという欠点を有していた。即ち従来の二重壁構造の箱は、接着工程が必要であったり、接着工程なしでは組み立てが複雑になったりするなどの問題を抱えていた。
【特許文献１】特開平１１−１３００４８
【特許文献２】特開２００２−３０８２４９
【発明の開示】
【発明が解決しようとする課題】
【０００５】
解決しようとしている課題は、箱の製造及び組み立て工程で接着工程などを必要とせず、
組み立てが簡単な二重壁構造の箱を提供する事にある。
【課題を解決するための手段】
【０００６】
課題を解決するための手段は、
底板（１）又は天板（１）に連結された全ての側壁（６）（７）（８）（９）を折立ててトレー状の容器又は蓋を形成すると共に、各側壁（６）（７）（８）（９）は二重構造とした紙箱において、一組の相対する側壁（８）（９）とその内側壁（１６）（１７）の間に隣接の側壁（６）（７）を連結している略三角形の折り込み片（２２）（２３）（２４）（２５）（２６）（２７）（２８）（２９）を折り筋（３８）（３９）（４０）（４１）から山状に折り込み、その時、内側壁（１６）（１７）の両サイドに連結している内側壁サイド片（３０）（３１）（３２）（３３）が内側壁（１４）（１５）を側壁（６）（７）に押しつけ、各側壁（６）（７）（８）（９）の直立状態を保つようにした紙箱とする。
【０００７】
第二の課題解決手段は、請求項１に於いて、内側壁（１６）（１７）の先端に接続したフラップ（３４）（３５）の先端辺（３４a）（３５a）を内側壁（１６）（１７）の辺（５０）（５１）又は（１２）（１３）より若干長くして発生する突起（５４）（５５）（５６）（５７）が箱の直立状態が達成したと同時に内側壁（１４）（１５）の切り欠き（５８）（５９）（６０）（６１）により発生する切り欠き断面（６２）（６３）（６４）（６５）に係合し、箱の直立状態をロックするようにした紙箱とする。
【発明の効果】
【０００８】
上記第一の課題解決手段による作用は次の通りである。即ち、この種二重壁構造の箱は内側に折り曲げられた内側壁をどう固定するかが問題であり、従来技術では一組目の相対する内側壁と側壁を接着固定したり、該内側壁の両サイドにフラップを設け、そのフラップをもう一組の相対する内側壁と側壁の間に挟み込むなどして、まず一組目の内側壁を固定し、固定した一組目の内側壁に何らかの方法で二組目の内側壁を係合するという複雑な方法で内側壁の固定を行ってきた。しかし、本発明によれば一組目の内側壁を側壁に接着固定する必要もなければ、該内側壁の両サイドにフラップを設け、該フラップをもう一組の内側壁で側壁との間に挟み込む必要もなければ、一組目の相対する内側壁に二組目の相対する内側壁を何らかの方法で係合する必要もない。
【０００９】
即ち、本発明では二組目の内側壁（１６）（１７）を折り込むと同時に、該内側壁の両サイドに折り筋（４６）（４７）（４８）（４９）を介して接続する内側壁サイド片（３０）（３１）（３２）（３３）が一組目の内側壁（１４）（１５）を側壁（６）（７）に押さえ込み固定し、と同時に内側壁サイド片（３０）〜（３３）も内側壁（１４）（１５）の反発力を受けて発生する内側壁（１６）（１７）と内側壁サイド片（３０）〜（３３）との摩擦抵抗力により、結果的に二組目の内側壁（１６）（１７）も固定されるという大変シンプルで道理にかなった内側壁固定方法が出来上がった。
【００１０】
更に、従来の二重壁構造箱のように、一組目の内側壁と二組目の内側壁を係合しロックしてしまわないので、起立した箱を分解するときは係合を解除する事なく、ただ二組目の内側壁先端に接続する内側壁先端フラップ（３４）（３５）を引っ張るだけで簡単に分解出来、折り畳む時又は廃棄するときは大変便利である。
【００１１】
更に、四つのコーナーには内側壁サイド片と該サイド片が繋がっている内側壁とで作るＬ字状壁が出来上がり、箱のコーナー補強がされるため、同じサイズの二重構造壁の箱なら１０〜２０％圧縮強度が向上するため、使用する紙の坪量をその分だけ下げる事が出来、コストダウンにもなる。
【００１２】
即ち、１枚のブランクをうち抜くだけで、どこも接着することなく、組み立ては簡単で、分解もしやすく、強度もある二重壁構造の箱を安価に得る事が可能となる。
【００１３】
上記第二の課題解決手段による作用は次の通りである。即ち、上記第一の課題解決手段では、内側壁（１４）（１５）と、内側壁（１６）（１７）の両サイドに接続する内側壁サイド片（３０）〜（３３）との摩擦抵抗力によって内側壁を固定し箱の起立を保っているため、紙表面が非常に平滑であったり、箱を変形させたときなどには該摩擦抵抗力が減じ分解の心配もある。これを防ぐには、内側壁サイド片（３０）〜（３３）の面積を大きくし摩擦抵抗力を上げれば解決するが、該サイド片を大きくしたくない時は、第二の課題解決手段により壁の起立を完全に固定しロック出来るようになる。箱の分解性は従来技術の二重構造壁の箱と有意ではなくなるが係合部分及びロックが外観として目立たず、かつ
折り畳まれた状態から箱に起立させるまでの簡便性は第一の課題解決手段と何ら変わることがない。
【発明を実施するための最良の形態】
【００１４】
以下の実施例はコートボール（350g/m2）を用いて行ったものである。
【実施例１】
【００１５】
図１は本実施例１のブランクである。二重壁構造箱のブランクとして、一対の相対する内側壁（１６）（１７）のそれぞれの両端に内側壁サイド片（３０）（３１）（３２）（３３）を有し、もう一対の内側壁（１４）（１５）の両端にはフラップなど何も接続していない事が特徴となっている。
【００１６】
折り筋（１０）（１１）より内側壁（１４）（１５）を側壁（６）（７）に密着するように折り曲げ、更に折り筋（２）と（５２）及び（３）と（５３）を一緒に重ねたまま内外側壁ペアー（６）（１４）及び（７）（１５）を底板（１）又は天板（１）に密着するよう折り曲げ、その上にもう一組の内側壁（１６）（１７）をそれぞれ折り筋（１２）（１３）より折り曲げ、出荷状態に折り畳んだのが図２である。分かりやすくするため、完全に折り畳んだ状態から、若干浮いている状態を図化している。図２断面はＸ−Ｘ位置での折り畳み状態を断面から示した。
【００１７】
折り畳まれた図２の状態から、折り筋（１２）（１３）を近づける方向に軽く押してやれば図３の状態に立ち上がる。
【００１８】
この状態で、内側壁（１６）（１７）を箱内側に折り込めば、自動的に内側壁サイド片（３０）（３１）（３２）（３３）（３４）が内側壁（１４）（１５）をそれぞれの側壁（６）（７）に押しつけ、その反発力による摩擦抵抗で内側壁（１６）（１７）は折り込んだ状態で保持され、図４の如く箱が起立した状態ができあがり保持される。図４a  Ｙ−Ｙ断面は内側壁サイド片（３０）（３１）が内側壁（１４）（１５）をそれぞれの側壁（６）（７）に押しつけている状態を示す。勿論、この内側壁（１４）（１５）への押しつけ力は、内側壁（１６）（１７）の先端のフラップ（３４）（３５）の両端断面を使っても補える。内側壁サイド片（３０）〜（３４）と内側壁（１４）（１５）との摩擦抵抗力は、材料の
摩擦抵抗係数、面積により変化するもので、材料に伴い、内側壁の面積、寸法などは適宜選べば良い。
【実施例２】
【００１９】
図５は本実施例２のブランクである。実施例１の図１に比べ、組み立て後のロック機構が付加されている。
【００２０】
折り畳んだ状態は、実施例１の図２と基本的には変わらず、図２にて十分想像可能であるため省略する。
【００２１】
図６は実施例１の図３に相当し、内側壁（１６）（１７）を箱内側に折り込めば、該内側壁先端フラップ（３４）（３５）の両端の突起（５４）（５５）（５６）（５７）が内側壁（１４）（１５）の切り込み（５８）（５９）（６０）（６１）により発生する断面（５８）（５９）（６０）（６１）に係合し、同時に内側壁サイド片（３０）〜（３４）の底部がそれぞれ突起（５４）〜（５７）を押さえ込み、係合状態を完全にロックする。従って箱が起立し、状態が保持された様子は実施例１の図４と同じになるため完成図は省略する。係合及びロックの機構は図７に示す。  
【図面の簡単な説明】
【００２２】
【図１】実施例１のブランク
【図２】実施例１の折り畳み状態図             図２aは図２のX-X断面図
【図３】実施例１の組み立て途中図
【図４】実施例１の組み立て完了図            図４aは図４のY-Y断面図
【図５】実施例２のブランク
【図６】実施例２の組み立て途中図
【図７】実施例２の係合及びロック機構図
【符号の説明】
【００２３】
１          底板又は天板
６〜９      側壁
１４〜１７  内側壁
２２〜２９  三角折り込み片
３０〜３３  内側壁サイド片
３４〜３７  内側壁先端フラップ
５４〜５７  突起
５８〜６１  切り込み
６２〜６５  （係合用）切り込み断面
２〜５      折り筋
１０〜１３  折り筋
１８〜２１  折り筋
３８〜４１  折り筋
４２〜４５  折り筋
４６〜４９  折り筋
５０〜５３  折り筋
【図１】
2006137447.tif 000003
【図２】
2006137447.tif 000004
【図３】
2006137447.tif 000005
【図４】
2006137447.tif 000006
【図５】
2006137447.tif 000007
【図６】
2006137447.tif 000008
【図７】
2006137447.tif 000009